(57)【要約】【課題】建具に固定される額縁において、コーナーで一方の額縁部材に上から被さった状態で嵌合部材に固定される他方の額縁部材の建具からの脱落を効果的に防止できる構造を提供すること。【解決手段】額縁８０は、横方向に延び、上ジョイント部材９１を介して固定される上額縁（第１額縁部材）８１又は下ジョイント部材９２を介して固定される下額縁（第１額縁部材）８２と、上額縁８１又は下額縁８２の延びる方向に交差する縦方向に延び、上額縁８１又は下額縁８２の端部の見付面８２１の少なくとも一部に被さるように縦ジョイント部材９３，９４を介して固定され、上額縁８１又は下額縁８２とともに額縁８０のコーナーを形成する縦額縁８３，８４と、縦額縁８３，８４の端部に固定され、縦額縁８３，８４とともに上額縁８１又は下額縁８２を見込方向で挟む突出部１０３を有する端部キャップ１００ａ，１００ｂと、を備える。【選択図】図１３
2018150703.tif 000002
【特許請求の範囲】
【請求項１】
嵌合部材を介して建具に固定される額縁であって、
横方向又は縦方向に延び、前記嵌合部材を介して固定される第１額縁部材と、
前記第１額縁部材の延びる方向に交差する縦方向又は横方向に延び、前記第１額縁部材の端部の見付面の少なくとも一部に被さるように前記嵌合部材を介して固定され、前記第１額縁部材とともに前記額縁のコーナーを形成する第２額縁部材と、
前記第２額縁部材の端部に固定され、前記第２額縁部材とともに前記第１額縁部材を見込方向で挟む突出部を有する端部キャップと、
を備える建具の額縁。
【請求項２】
前記第１額縁部材の端部には前記突出部の形状に応じて切り欠かれた第１切欠部が形成され、
前記第２額縁部材の端部には前記第１額縁部材の端部を挿入するための第２切欠部が形成され、
前記突出部は、前記第２切欠部に挿入された前記第１額縁部材の前記第１切欠部の内側で、前記第２額縁部材とともに前記第１額縁部材を見込方向で挟む形状である請求項１に記載の建具の額縁。
【請求項３】
前記第１額縁部材は、前記建具に固定される枠材に嵌合する枠材嵌合部を有する請求項１又は２に記載の建具の額縁。
【発明の詳細な説明】
【技術分野】
【０００１】
本発明は、嵌合構造を有する嵌合部材を介して建具に固定される額縁に関する。
【背景技術】
【０００２】
従来、戸体の採風窓等の四周を囲むように装飾用の額縁を取り付けた建具が知られている。この種の額縁を備える建具を開示するものとして例えば特許文献１がある。特許文献１には、嵌合構造を有するモール固定部材を枠に固定し、モール固定部材のスナップフィットによりモール部材（額縁部材）を固定する構造について記載されている。
【先行技術文献】
【特許文献】
【０００３】
【特許文献１】特開２０１６−１０８８３０号公報
【発明の概要】
【発明が解決しようとする課題】
【０００４】
特許文献１では、縦方向のモール部材と横方向のモール部材が重なるコーナーにおいて、何れか一方が他方に被さる構造になっている。この構造では、モール部材が四方に配置されるモール固定部材のそれぞれに嵌合されているが、モール固定部材とモール部材の嵌合が緩い場合に、上に被さっている側のモール部材が戸体から容易に外れてしまう。上に被さっているモール部材の脱落を防止するという点で改善の余地があった。
【０００５】
本発明は、建具に固定される額縁において、コーナーで一方の額縁部材に上から被さった状態で嵌合部材に固定される他方の額縁部材の建具からの脱落を効果的に防止できる構造を提供することを目的とする。
【課題を解決するための手段】
【０００６】
本発明は、嵌合部材（例えば、後述の上ジョイント部材９１、下ジョイント部材９２、縦ジョイント部材９３，９４）を介して建具（例えば、後述の建具１、戸体１２）に固定される額縁（例えば、後述の額縁８０）であって、横方向又は縦方向に延び、前記嵌合部材を介して固定される第１額縁部材（例えば、後述の上額縁８１、下額縁８２）と、前記第１額縁部材の延びる方向に交差する縦方向又は横方向に延び、前記第１額縁部材の端部の見付面（例えば、後述の見付面８２１）の少なくとも一部に被さるように前記嵌合部材を介して固定され、前記第１額縁部材とともに前記額縁のコーナーを形成する第２額縁部材（例えば、後述の縦額縁８３，８４）と、前記第２額縁部材の端部に固定され、前記第２額縁部材とともに前記第１額縁部材を見込方向で挟む突出部（例えば、後述の突出部１０３）を有する端部キャップ（例えば、後述の端部キャップ１００）と、を備える建具の額縁に関する。
【０００７】
前記第１額縁部材の端部には前記突出部の形状に応じて切り欠かれた第１切欠部（例えば、後述の端部切欠部８２６）が形成され、前記第２額縁部材の端部には前記第１額縁部材の端部を挿入するための第２切欠部（例えば、後述の端部切欠部８３６）が形成され、前記突出部は、前記第２切欠部に挿入された前記第１額縁部材の前記第１切欠部の内側で、前記第２額縁部材とともに前記第１額縁部材を見込方向で挟む形状であることが好ましい。
【０００８】
前記第１額縁部材は、前記建具に固定される枠材（例えば、後述の開口部上枠５１、開口部下枠５２）に嵌合する枠材嵌合部（例えば、後述の枠材嵌合部８２５）を有することが好ましい。
【発明の効果】
【０００９】
本発明の建具に固定される額縁の構造によれば、コーナーで一方の額縁部材に上から被さった状態で嵌合部材に固定される他方の額縁部材の建具からの脱落を効果的に防止できる。
【図面の簡単な説明】
【００１０】
【図１】本発明の一実施形態に係る額縁部材が適用される建具を屋外側から見た姿図である。
【図２】本実施形態の額縁部材が適用される建具を屋内側から見た姿図である。
【図３】本実施形態の額縁部材が適用される建具が備える戸体の横断面図である。
【図４】本実施形態の額縁部材が適用される建具が備える戸体の縦断面図である。
【図５】本実施形態の額縁部材が戸体の屋内側に取り付けられる様子を模式的に示す図である。
【図６Ａ】本実施形態の下額縁の見付面の裏側を示す図である。
【図６Ｂ】本実施形態の下額縁の障子側の見込面を示す図である。
【図７】本実施形態の下額縁が開口部下枠に固定される様子を示す断面図である。
【図８Ａ】本実施形態の縦額縁の見付面の裏側を示す図である。
【図８Ｂ】本実施形態の縦額縁の障子側の見込面を示す図である。
【図９】本実施形態の縦額縁が開口部縦枠に固定される様子を示す断面図である。
【図１０】本実施形態の端部キャップの斜視図である。
【図１１】本実施形態の端部キャップの平面図である。
【図１２】本実施形態の端部キャップの側面図である。
【図１３】本実施形態の端部キャップと縦額縁により下額縁（上額縁）が見込方向で挟み込まれている様子を模式的に示す斜視図である。
【図１４】本実施形態の下額縁、縦額縁及び端部キャップの取付関係を模式的に示す分解斜視図である。
【図１５】本実施形態の下額縁、縦額縁及び端部キャップが組み付けられた様子を模式的に示す斜視図である。
【発明を実施するための形態】
【００１１】
以下、本発明の好ましい実施形態について図面を参照しながら説明する。
【００１２】
まず、本発明が適用される建具１の全体構成について説明する。図１は、本発明の一実施形態に係る額縁８０が適用される建具１を屋外側から見た姿図である。図２は、本実施形態の額縁８０が適用される建具１を屋内側から見た姿図である。図３は、本実施形態の額縁８０が適用される建具１が備える戸体１２の横断面図である。図４は、本実施形態の額縁８０が適用される建具１が備える戸体１２の縦断面図である。
【００１３】
本実施形態の建具１は、固定枠体１１と、戸体１２と、複数の丁番１３と、ドアクローザ１４と、ドアガード１５と、を備える。なお、以下の説明において、「吊元側」とは、戸体１２の吊元側を意味し、「戸先側」とは、戸体１２の戸先側を意味する。
【００１４】
固定枠体１１は、建物に形成された躯体開口部２に固定される。固定枠体１１は、横枠としての固定上枠１１１及び固定下枠１１２と縦枠としての吊元側の固定縦枠１１３及び戸先側の固定縦枠１１４により矩形に枠組みされる。
【００１５】
戸体１２は、固定枠体１１の内側に吊り込まれる玄関ドア等の開き戸である。複数の丁番１３により、固定枠体１１に戸体１２が開閉可能（回動可能）に支持される。
【００１６】
ドアクローザ１４は、戸体１２の屋内側の上側であって、戸体１２の見付方向（戸体１２の幅方向）の中心よりも吊元側に寄って配置される。ドアクローザ１４は、本体が戸体１２に、アームが固定上枠１１１に、それぞれ接続される。
【００１７】
ドアガード１５は、戸体１２に配置され、かつ、ループ状に形成されたドアガード本体部１６と、戸先側の固定縦枠１１４に配置され、かつ、ドアガード本体部１６が掛合することが可能なドアガード受け部１７と、を有する。
【００１８】
図１を参照して戸体１２の屋外側に配置される構成について説明する。戸体１２の屋外側の表面には屋外側面材６１が配置される。戸体１２の屋外戸先側における高さ方向の略中央部には屋外側ハンドル６２が配置される。屋外側ハンドル６２の上下それぞれにはシリンダー６３，６４が配置される。また、屋外側面材６１の左右方向中央には上下方向に延びる化粧材６５が配置され、この化粧材６５の両側には左右一対の外額縁部材６６が固定される。外額縁部材６６は、戸体１２の屋外側に配置される嵌合部材６７を介して固定される（図３参照）。
【００１９】
図２を参照して戸体１２の屋内側に配置される構成について説明する。戸体１２の屋内側の表面には屋内側面材７１が配置される。戸体１２の屋内戸先側における高さ方向の略中央部には屋内側ハンドル７２が配置される。屋内側ハンドル７２の上下それぞれにはサムターン７３，７４が配置される。
【００２０】
また、屋内側面材７１の化粧材６５の裏側には採風窓として機能する開閉可能な障子４０が配置される。屋内側面材７１における障子４０の四周には樹脂製の額縁８０が固定される。額縁８０は、上額縁８１、下額縁８２、吊元側の縦額縁８３及び戸先側の縦額縁８４からなる。縦額縁８３，８４の上下端のそれぞれには、端部の開口部を塞ぐ端部キャップ１００が嵌め込まれる。
【００２１】
図３及び図４に示すように、本実施形態の戸体１２は、戸体１２の四周を囲んで配置される框体２０と、戸体１２に形成される開口部３０に固定され、障子４０が嵌め込まれる開口部枠体５０と、を更に備える。
【００２２】
框体２０は、横框としての上框２１及び下框２２と縦框としての吊元側の縦框２３及び戸先側の縦框２４により矩形に框組みされる。
【００２３】
開口部枠体５０は、横枠としての開口部上枠５１及び開口部下枠５２と縦枠としての吊元側の開口部縦枠５３及び戸先側の開口部縦枠５４により矩形に枠組みされる。本実施形態の開口部枠体５０は、例えば、アルミニウム等の金属製の部材によって構成される。
【００２４】
開口部上枠５１には上額縁８１を嵌合固定する上ジョイント部材９１がビス９５により固定され、開口部下枠５２には下額縁８２を嵌合固定する下ジョイント部材９２がビス９５により固定される。また、吊元側の開口部縦枠５３には吊元側の縦額縁８３を嵌合固定する縦ジョイント部材９３がビス９５により固定され、戸先側の開口部縦枠４４には戸先側の縦額縁８４を嵌合固定する縦ジョイント部材９４がビス９５により固定される。
【００２５】
また、開口部下枠５２は、その内部に屋外側に通じる排水経路（図示省略）を有し、排水経路における屋外側の出口には排水弁５５が設けられる。本実施形態の下額縁８２は、その上面が屋外側に進むにつれて下がるように傾斜しており、前述の排水経路に水をガイドする構成となっている。
【００２６】
次に、開口部枠体５０の内側に嵌め込まれる障子４０について説明する。障子４０は、縦辷り出しタイプの障子であり、障子４０を開放すれば、戸体１２を開放することなく屋内の通気・換気（採風）が可能になる。本実施形態の障子４０は、採風框体４１と、ガラス４２と、上側アーム４２１と、下側アーム４２２と、把手部１５０（図２参照）と、を備える。
【００２７】
採風框体４１は、横框としての採風上框４１１及び採風下框４１２と縦框としての吊元側の採風縦框４１３及び戸先側の採風縦框４１４により矩形に框組される。
【００２８】
採風上框４１１は、屋内側に配置される樹脂形材４１１ａと屋外側に配置されるアルミ形材４１１ｂが嵌合固定されて構成される。採風下框４１２は、屋内側に配置される樹脂形材４１２ａと屋外側に配置されるアルミ形材４１２ｂが嵌合固定されて構成される。また、左右の採風縦框４１３，４１４についても同様に、屋内側に配置される樹脂形材４１３ａ，４１４ａと屋外側に配置されるアルミ形材４１３ｂ，４１４ｂが嵌合固定されて構成される。このように、採風框体４１は、アルミニウム等の金属を押出成形したアルミ形材と断熱部材として機能する樹脂形材とによって構成される複合部材となっている。
【００２９】
ガラス４２は、採風框体４１の内側に嵌め込まれる複層ガラスである。ガラス４２は、グレイジングチャンネル４３０等を介して採風框体４１の内側に固定される。また、ガラス４２の屋外側には網６８が配置される。網６８は、障子４０を開放することで屋外と屋内とを開口部３０を通じて連通させた際に、虫等が屋内に侵入するのを防ぐためのものである。
【００３０】
上側アーム４２１は開口部上枠５１と採風上框４１１を接続し、下側アーム４２２は、開口部下枠５２と採風下框４１２を接続する。上側アーム４２１及び下側アーム４２２によって、障子４０が開口部３０の内側に開閉可能に吊り込まれる。
【００３１】
把手部１５０は、吊元側の採風縦框４１３の屋内側に配置される。把手部１５０は、連動部材４４１を介して障子４０の開放を制限するロック機構４４０を有する。
【００３２】
以上、建具１の全体構成について説明した。次に、本実施形態の額縁８０の戸体１２（建具１）への取付方法について説明する。図５は、本実施形態の額縁８０が戸体１２の屋内側に取り付けられる様子を模式的に示す図である。
【００３３】
図５に示すように、上ジョイント部材９１、下ジョイント部材９２、縦ジョイント部材９３，９４からなるジョイント部材９０が、ビス９５によりそれぞれ固定された状態の戸体１２に対して額縁８０の嵌合作業が行われる。
【００３４】
まず、上額縁８１を上ジョイント部材９１に嵌合固定するとともに下額縁８２を下ジョイント部材９２に嵌合固定する。上額縁８１及び下額縁８２は何れも横方向に延びる横額縁であり、取り付ける向きが上下方向で異なっているものの同様の形状で構成される。以下、下額縁８２を例に本実施形態の横額縁の構成について説明する。
【００３５】
図６Ａは、本実施形態の下額縁８２の見付面８２１の裏側を示す図である。図６Ｂは、本実施形態の下額縁８２の障子４０側の見込面８２２を示す図である。図７は、本実施形態の下額縁８２が開口部下枠５２に固定される様子を示す断面図である。
【００３６】
下額縁８２は、見付面８２１と、障子４０側の見込面（上面）８２２と、固定下枠１１２側の見込面（下面）８２３と、下ジョイント部材９２に嵌合するジョイント嵌合部８２４と、開口部下枠５２に嵌合される枠材嵌合部８２５と、左右両端部のそれぞれに形成される端部切欠部８２６と、見付面８２１の裏側で横方向に延びる複数のホロー部８２７と、縦額縁８３（縦額縁８４）側に差し込まれる差込端部８２８と、を備える。本実施形態の下額縁８２は、樹脂により一体的な部材として構成される。
【００３７】
開口部下枠５２には、下ジョイント部材９２の他に下額縁８２の枠材嵌合部８２５に嵌合するための嵌合片５２１が設けられる。下額縁８２は、その枠材嵌合部８２５の溝に嵌合片５２１の先端を嵌め込んだ状態で回転させてジョイント嵌合部８２４を下ジョイント部材９２に押し込んでスナップフィット方式で嵌合させることにより、開口部下枠５２に固定される（図７参照）。このように、嵌合する箇所が複数設けられることで下額縁８２と開口部下枠５２の固定は強固なものになっている。なお、上額縁８１も同様の方法で開口部上枠５１に嵌合固定される。
【００３８】
次に、吊元側の縦額縁８３を縦ジョイント部材９３に嵌合固定するとともに戸先側の縦額縁８４を縦ジョイント部材９４に嵌合固定する。吊元側の縦額縁８３及び戸先側の縦額縁８４は取り付ける向きが左右方向で異なっているものの同様の形状で構成される。以下、以下、吊元側の縦額縁８３を例に本実施形態の縦額縁の構成について説明する。
【００３９】
図８Ａは、本実施形態の縦額縁８３の見付面８３１の裏側を示す図である。図８Ｂは、本実施形態の縦額縁８３の障子４０側の見込面８３２を示す図である。図９は、本実施形態の縦額縁８３が開口部縦枠５３に固定される様子を示す断面図である。
【００４０】
縦額縁８３は、見付面８３１と、障子４０側の見込面（内側面）８３２と、吊元側の見込面８３３と、縦ジョイント部材９３に嵌合するジョイント嵌合部８３４と、端部キャップ１００を嵌合する嵌合孔８３５と、上下両端部のそれぞれに形成される端部切欠部８３６と、見付面８３１の裏側で上下方向に延びるホロー部８３７と、を備える。本実施形態の縦額縁８３は、樹脂により一体的な部材として構成される。
【００４１】
吊元側の縦額縁８３は、そのジョイント嵌合部８３４が縦ジョイント部材９３に対して見込方向で押し込まれることにより、スナップフィット方式で嵌合固定される。本実施形態では、縦額縁８３，８４のそれぞれの上下方向の端部が上額縁８１及び下額縁８２のそれぞれの左右方向の端部に被さるように固定される（図２参照）。縦額縁８３，８４の位置合わせは、下額縁８２の位置を基準として行われる。
【００４２】
次に、端部キャップ１００を縦額縁８３，８４の上下それぞれの合計４箇所に嵌め込む。端部キャップ１００の構成について説明する。なお、本実施形態では、左右対称形状の２種類の端部キャップ１００ａ，１００ｂが用いられる（図５参照）。吊元側の縦額縁８３の下端部及び戸先側の縦額縁８４の上端部に嵌め込まれる端部キャップ１００ａを例として本実施形態の端部キャップ１００について説明する。
【００４３】
図１０は、本実施形態の端部キャップ１００ａの斜視図である。図１１は、本実施形態の端部キャップ１００ａの平面図である。図１２は、本実施形態の端部キャップ１００ａの側面図である。
【００４４】
図１０から図１２に示すように、端部キャップ１００ａは、壁状の端面１０１と、端面１０１の裏側からブロック状に突出する差込部１０２と、端面１０１の側部から壁状に突出する突出部１０３と、差込部１０２の平面部分に設けられる嵌合部１０６と、端面１０１の見付面側に形成される延出部１０７と、を備える。
【００４５】
壁状の端面１０１は、縦額縁８４の端部の開口を塞ぐ部材である。差込部１０２は、縦額縁８３のホロー部８３７に差し込まれる部分である。突出部１０３は、縦額縁８３（縦額縁８４）とともに下額縁８２（上額縁８１）を挟み込むための部材である。突出部１０３には切欠部１０４が形成される。突出部１０３の見込面に下額縁８２の端部切欠部８２６の端面の一部が対向する位置関係となる（図１３参照）。嵌合部１０６は、差込部１０２がホロー部８３７に差し込まれると、その過程で弾性変形して最終的に嵌合孔８３５に嵌り込む嵌合部材である。延出部１０７は、端面１０１の見付面側で縦額縁８３の端面に沿って延びており、縦額縁８３（縦額縁８４）の見付面８３１と略面一となる部分である。
【００４６】
図１３は、本実施形態の端部キャップ１００ａと縦額縁８３により下額縁８２が見込方向で挟み込まれている様子を模式的に示す斜視図である。なお、図１３では、縦額縁８３については二点鎖線で示されている。
【００４７】
図１３に示すように、端部キャップ１００ａにおける突出部１０３と延出部１０７の間には、空間１０５が形成されている。この空間１０５に下額縁８２（上額縁８１）の差込端部８２８が入り込むことにより、下額縁８２（上額縁８１）の端部が端部キャップ１００ａと縦額縁８３とともに挟み込まれた状態となる。従って、縦額縁８３が縦ジョイント部材９３から引き剥がされる力を受けた場合、その力は下額縁８２にも受け止められることになり、縦額縁８３だけが戸体１２から脱落する事態を効果的に防止できる。
【００４８】
端部キャップ１００ｂも同様の方法で縦額縁８３（縦額縁８４）に固定される。図１４は、本実施形態の下額縁８２、縦額縁８４及び端部キャップ１００ｂの取付関係を模式的に示す分解斜視図である。図１５は、本実施形態の下額縁８２、縦額縁８４及び端部キャップ１００ｂが組み付けられた様子を模式的に示す斜視図である。なお、図１５では下額縁８２が二点鎖線で示されている。
【００４９】
図１４に示すように、下額縁８２の端部に被さるように縦額縁８４の端部を配置して固定する。次に、端部キャップ１００ｂを縦額縁８４の端面に嵌め込んで図１５に示す状態にして縦額縁８４の端面が見えない状態にする。縦額縁８４の嵌合状態の確認を最後に行って額縁８０の取付作業を完了する。
【００５０】
上記実施形態によれば、以下のような効果を奏する。
本実施形態の建具１に固定される額縁８０は、横方向に延び、上ジョイント部材９１を介して固定される上額縁（第１額縁部材）８１又は下ジョイント部材９２を介して固定される下額縁（第１額縁部材）８２と、上額縁８１又は下額縁８２の延びる方向に交差する縦方向に延び、上額縁８１又は下額縁８２の端部の見付面８２１の少なくとも一部に被さるように縦ジョイント部材９３，９４を介して固定され、上額縁８１又は下額縁８２とともに額縁８０のコーナーを形成する縦額縁８３，８４と、縦額縁８３，８４の端部に固定され、縦額縁８３，８４とともに上額縁８１又は下額縁８２を見込方向で挟む突出部１０３を有する端部キャップ１００ａ，１００ｂと、を備える。
【００５１】
これにより、上額縁８１又は下額縁８２の端部に被さる縦額縁８３，８４に対して戸体１２から引き剥がすような力が加わったとしても、上額縁８１又は下額縁８２の戸体１２への固定力によって縦額縁８３，８４の戸体１２からの脱落を防止することができる。本実施形態の構成によれば、樹脂製の額縁８０であって、嵌合により戸体１２に固定されるような構成であっても、当該額縁８０が戸体１２から外れる事態を効果的に防止できるのである。
【００５２】
また、予め四方の額縁８０を組み立てる等の工数を増やすこともないので、従来の作業を大きく変更する必要もなく、組付け後に脱落防止機能を作用させることもできるので、作業性も高い。更に、本実施形態では、突出部１０３は端部キャップ１００ａ，１００ｂの本体部分と一体成形されており、新たな構成を追加することなく上記効果を奏する構成を実現している。
【００５３】
また、本実施形態では、上額縁８１又は下額縁８２の差込端部８２８には突出部１０３の形状に応じて切り欠かれた端部切欠部８２６が形成され、縦額縁８３，８４の端部には上額縁８１又は下額縁８２の差込端部８２８を挿入するための端部切欠部８３６が形成される。そして、突出部１０３は、縦額縁８３，８４の端部切欠部８３６に挿入された上額縁８１又は下額縁８２の端部切欠部８２６の内側で、縦額縁８３，８４とともに上額縁８１又は下額縁８２を見込方向で挟む形状である。
【００５４】
上額縁８１又は下額縁８２が縦額縁８３，８４に干渉しないように逃がし加工（切欠部）を形成したことにより、建具１における取付位置が戸体１２のように平面であっても突出部１０３が戸体１２に干渉しなくなる。戸体１２側に突出部１０３との干渉を避けるための凹部を形成する必要もないので、建具１の平面部分にも容易に適用できる。
【００５５】
また、本実施形態では、上額縁８１又は下額縁８２は、戸体１２に固定される開口部上枠５１又は開口部下枠５２に嵌合する枠材嵌合部８２５を有する。
【００５６】
これにより、下ジョイント部材９２（上ジョイント部材９１）との嵌合に加えて枠材嵌合部８２５の嵌合によっても下額縁８２（上額縁８１）が嵌合されるので、下額縁８２（上額縁８１）の戸体１２への固定をより強固にすることができる。これによって、縦額縁８３，８４が脱落しようとしても強固に戸体１２に固定された下額縁８２（上額縁８１）によっても縦額縁８３，８４が規制されるので、縦額縁８３，８４の脱落をより確実に防止できる。
【００５７】
以上、本発明の好ましい実施形態について説明したが、本発明は、上述の実施形態に制限されるものではなく、適宜変更が可能である。
【００５８】
上記実施形態では、第１額縁部材が上額縁又は下額縁の横額縁であり、第２額縁部材が縦額縁である構成を例としたがこの構成に限定されない。例えば、第１額縁部材を縦額縁とし、第２額縁部材を横額縁とする構成としてもよい。
【００５９】
上記実施形態では、矩形に枠組みされる額縁８０を例として説明したがこの構成に限定されない。コーナーを形成するような額縁であればよく、下額縁を備えないような三方額縁にも本発明を適用することができる。
【００６０】
上記実施形態では、樹脂製の額縁８０を例として説明したが、アルミニウム等の金属により構成される額縁にも本発明を適用することができる。
【００６１】
上記実施形態では、建具として障子４０を有する戸体１２を例として説明したがこの構成に限定されない。開口部にガラスを嵌め込んだＦＩＸ窓を有する戸体や窓を有しない戸体等、額縁を取り付けることができる種々の建具に本発明は適用できる。
【符号の説明】
【００６２】
１  建具
１２  戸体（建具）
８０  額縁
８１  上額縁（第１額縁部材）
８２  下額縁（第１額縁部材）
８３，８４  縦額縁（第２額縁部材）
９１  上ジョイント部材（嵌合部材）
９２  下ジョイント部材（嵌合部材）
９３，９４  縦ジョイント部材（嵌合部材）
１００，１００ａ，１００ｂ  端部キャップ
１０３  突出部
【図１】
2018150703.tif 000003
【図２】
2018150703.tif 000004
【図３】
2018150703.tif 000005
【図４】
2018150703.tif 000006
【図５】
2018150703.tif 000007
【図６Ａ】
2018150703.tif 000008
【図６Ｂ】
2018150703.tif 000009
【図７】
2018150703.tif 000010
【図８Ａ】
2018150703.tif 000011
【図８Ｂ】
2018150703.tif 000012
【図９】
2018150703.tif 000013
【図１０】
2018150703.tif 000014
【図１１】
2018150703.tif 000015
【図１２】
2018150703.tif 000016
【図１３】
2018150703.tif 000017
【図１４】
2018150703.tif 000018
【図１５】
2018150703.tif 000019